(57)【特許請求の範囲】
【請求項１】
開閉接触子、
係合が解消する動作をしたときに接触状態にある前記開閉接触子を開離させる第１ラッチ手段（２３，２４）を含む所定の極に設けられる開閉機構、
前記所定の極とは隔壁によって隔てられた隣極に設けられた所定の附属装置、及び
係合が解消する動作をしたときに前記第１ラッチ手段に前記係合解消動作をさせる、前記第１ラッチ手段とは独立して構成された第２ラッチ手段（３６，３７）を含む過電流引外し機構を備えた多極形の回路遮断器において、
前記第２ラッチ手段は、該第２ラッチ手段が前記係合解消動作をしたときに回転する極を横断して配置される回転軸（３７）、前記第２ラッチ手段が係合する方向に前記回転軸を付勢するばね（４４）、及び前記回転軸の回転に応じて前記所定の附属装置を操作する部材を含むことを特徴とする、回路遮断器。
【請求項２】
前記附属装置が、前記回転軸の回転に応じて動作する部材によって操作される警報スイッチであることを特徴とする、請求項１に記載の回路遮断器。
【請求項３】
前記附属装置が、前記第２ラッチ手段を動作させるとともに前記第２ラッチ手段のリセット操作において回転する前記回転軸に取り付けられた部材によってリセットされる電磁的引外し装置であることを特徴とする、請求項１に記載の回路遮断器。
【発明の詳細な説明】
【０００１】
【発明の属する技術分野】
本発明は、回路遮断器、特に附属装置を有する回路遮断器に関する。
【０００２】
【従来の技術】
回路遮断器には、開閉接触子、開閉接触子を操作する開閉機構、過電流が流れたとき動作して開閉機構を介して開閉接触子を開離させる過電流引外し機構、消弧装置などを合成樹脂成形絶縁物製のケース内に収納しているものがある。このような回路遮断器は、客先の注文仕様により過電流引外し機構が動作したとき動作する警報スイッチや回路の電圧が低下したとき回路遮断器を開路させる電磁石を利用した不足電圧引外し装置などの内部附属品を収納することがある。
【０００３】
警報スイッチ及び不足電圧引外し装置を収納した従来の回路遮断器の例が、それぞれ実用新案登録第２５４２５６５号公報及び実公平１−２５４０２号公報に開示されている。これらの絶縁ケースを有する回路遮断器はいずれも多極形であって、特に電流を遮断するときに発生するアークガスに対する絶縁上の理由から、各極はケースに設けられた隔壁によって互いに隔離されており、開閉機構と内部附属品は互いに隣り合う極に収納されている。
【０００４】
図１６及び図１７は前者の公報に開示されている３極形の回路遮断器の閉路状態にあるそれぞれ平面図及び側面断面図であって、絶縁ケース１０１の隔壁１０２によって両端極から隔離された中央極のスペースに、詳細な説明は省略するが、開閉機構１０３が収納され端極に警報スイッチ１０４が収納されている。この警報スイッチは図１７において上方に付勢されているアクチュエータ１０５を有し、開閉機構に含まれるトリップレバー１０６によって上方への移動が阻止されている。この回路遮断器は過電流が流れてトリップユニット１０７が動作したときラッチ機構１０８の係合が解消し、軸１０９を中心としてトリップレバー１０６が反時計方向に回転して、開閉接触子が開離するとともに、アクチュエータ１０５が上方へ移動してマイクロスイッチ１１０が動作し過電流警報を発する。また、動作した開閉機構及び警報スイッチは、ハンドル１１１を操作してトリップレバー１０６を時計方向に回転させることによってリセットされる。
【０００５】
図１８は後者の公報に開示されている多極形の回路遮断器の部分的平面図であって、絶縁ケース１１２の隔壁１１３によって、いずれも詳細な説明は省略するが、開閉機構１１４が収納された極と不足電圧引き外し装置１１５が収納された極とが隔壁１１３によって隔離されている。この不足電圧引外し装置は電磁石を内蔵しており、電磁石に印可されている電圧が低下すると可動コアーが固定コアーから開離し、可動コアーと連動する動作部材１１６が左方向へ移動し、延長部材１１７ａを介してトリップ軸１１７を回転させて図示されていない開閉機構のラッチ手段を動作させて開閉接触子を開離させる。開閉機構は基本的に前者の図１７で示した回路遮断器と同様であってハンドル１１８を右方向に移動させて行う。このとき、ハンドルと連動するハンドルレバー１１９がリセットレバーを回転させて不足電圧引き外し装置１１５もリセットする。
【０００６】
【発明が解決しようとする課題】
このような前者の従来の回路遮断器にあっては、警報スイッチを動作させたりリセットするためのアクチュエータ１０５が端極と機構極（中央極）との間に隔壁１０２の孔または切欠を通って延びている。また、後者の従来の回路遮断器にあっては、不足電圧引外し装置をリセットするためのリセットレバー１２０が端極と機構極との間に隔壁１１３の孔または切欠を通って延びている。すなわち、いずれも隔壁１０２及び隔壁１１３に孔又は切欠を設ける必要があった。このため、隔壁の加工が必要になったり、隔離が不十分になるため遮断容量を大きくできないという問題があった。
【０００７】
したがって、本発明の目的は、隔壁に孔や切欠を開ける必要がなく、内部附属品の装着が容易な回路遮断器を提供することにある。
【０００８】
【課題を解決するための手段】
上記の問題を解決するために、本発明は、開閉接触子、係合が解消する動作をしたときに接触状態にある開閉接触子を開離させる第１ラッチ手段を含む所定の極に設けられる開閉機構、所定の極とは隔壁によって隔てられた隣極に設けられた所定の附属装置、及び、係合が解消する動作をしたときに第１ラッチ手段に上記の係合解消動作をさせる、第１ラッチ手段とは独立して構成された第２ラッチ手段を含む過電流引外し機構を備えた多極形の回路遮断器において、第２ラッチ手段は、その第２ラッチ手段が係合解消動作をしたときに回転する極を横断して配置される回転軸、第２ラッチ手段が係合する方向に回転軸を付勢するばね、及び回転軸の回転に応じて上記所定の附属装置を操作する部材を備えることとしている。
【０００９】
このような構成にすることにより、開閉機構を介することなく、第２ラッチ手段の回転軸の回転を、上記の部材を介してキャッチすることにより引外し動作を検知できる。また、第２ラッチ手段をリセットするときの回転軸の回転を利用して、上記部材によって附属装置のリセットをすることができる。「所定の附属装置を操作する部材」には、回転軸に固定され回転軸の回転にしたがって回転する係合腕等が含まれる。回転軸の長さを長くすることによって、附属装置を操作する部材の位置や数、すなわち附属装置の取付位置や装着数に自由性ができる。このため、隔壁に孔や切欠を設ける必要がないので、遮断容量を高めることができるとともに、製造に際して加工が容易となる。
【００１０】
【発明の実施の形態】
本発明の実施の形態を図１ないし図１５で示される実施例によって説明する。この実施例の回路遮断器は３極型であって、開閉ユニット、トリップユニット及び結合された両ユニットを覆うカバーを有しており、図２はこの実施例の回路遮断器全体の正面図、図１は図２の略Ａ−Ａから見た断面図である。
【００１１】
開閉ユニットは、図１ないし図８に図示されており、合成樹脂成形絶縁物製の消弧ケース１、消弧ケース１の内部に収納された開閉接触子と消弧装置及び消弧ケース１の外側に構築された開閉機構を有している。
【００１２】
消弧ケース１には、接点２を備えた固定接触子３、両端部にそれぞれ接点４及び可撓リード５とを有する可動接触子６並びに絶縁板７に保持された複数の磁性板８を有する消弧装置９が収納されており、その右端の開口部は壁を有する端子ベース１０によって覆われている。
【００１３】
可動接触子６は、３極共通の合成樹脂成形絶縁物製のクロスバー１１に軸１２によって回転自在に保持されるとともにクロスバー１１の壁との間に設けられたばね１３によって時計方向に付勢されている。可撓リード５の他端にはリード端子１４が接続されており、各極のリード端子１４を収納するリード端子ベース１５は、合成樹脂成形絶縁物製であってリード端子１４の収納部分にはナット１６をはめ込む六角形の窪みが形成されている。クロスバー１１は、図示はしていないが、両端に円柱形状の支持部を有し、支持部が消弧ケース１の両側壁に形成されているＵ字状の溝とリード端子ベース１５に形成された円弧状の凹部との間に挟まれることによって回転自在に保持されている。
【００１４】
クロスバー１１を回転させる開閉機構は、消弧ケース１の中央極部分の両側壁に沿って設けられた一対のフレーム１７上に構築されている。この開閉機構にはトグルリンク機構が採用されており、軸１８によって互いに回転自在に連結されたそれぞれ一対のリンク１９とリンク２０と、いずれもフレーム１７上に回転自在なるように設けられたハンドルレバー２１、トリップレバー２２、トリップレバー２２の時計方向の回転を阻止するフック２３及びフック２３の反時計方向の回転を阻止するラッチ２４と、軸１８とハンドルレバー２１との間に取り付けられたばね２５と、ハンドルレバー２１の角に差し込まれた合成樹脂成形絶縁物製のハンドル２６とを有している。
【００１５】
ハンドルレバー２１はその両腕がフレーム１７と同じ平面内を移動するようにコ字状に折り曲げられて形成され、その両腕の円弧状端部２１ａがフレーム１７に形成された切欠の円弧状凹部１７ａにばね２５の力によって押し付けられている。トリップレバー２２はその両腕がフレーム１７の内側に隣接する面を移動するようにコ字状に折り曲げられて形成され、その両腕の円弧状にカールしたカール端部２２ａが一対のフレーム１７の対向面に形成された円柱状の突起１７ｂにはめ込まれている。一対のリンク１９はトリップレバー２２の腕と同じ平面内を移動するように配置されており、その円弧状に形成された円弧状端部１９ａがトリップレバー２２の両腕に形成された切欠の円弧状凹部２２ｂにばね２５の力によって押し付けられ、一対のリンク２０は軸２７によって回転自在にクロスバー１１と連結されている。
【００１６】
図７はフレーム１７の外面に沿った面から見たこの開閉機構の一部を示しており、その両脚２３ａがフレーム１７に形成された三角形の孔１７ｃに配置されているフック２３及びその両脚２４ａがフレーム１７に形成されたＶ字形の切欠１７ｄに配置されているラッチ２４は、ばね２８の力によってそれぞれ時計方向に付勢されている。
【００１７】
このように構成された開閉ユニットについては、以下に説明するように開閉ユニット単独で開路、閉路、トリップ、リセット操作をすることができる。なお、図４、図５及び図６は、それぞれ閉路状態、トリップ状態及びリセット操作状態を示す側面断面図である。図７及び図８は手前側のフレーム１７の外側面から見た断面のそれぞれ閉路状態及びトリップ状態の部分図である。
【００１８】
図４に示されている閉路状態において、ばね２５の力によりその円弧状端部２１ａを中心として時計方向に付勢されているハンドルレバー２１の回転は、フレーム１７の縁に接して阻止されている。ばね２５の力により軸１８及びリンク１９を介してフレーム１７の突起１７ｂの周りを時計方向に付勢されているトリップレバー２２は、そのラッチ部２２ｃとフック２３のラッチ受部２３ｂとの係合によってばね２８の力に抗してフック２３を反時計方向に付勢している。そして、この付勢によってフック２３のラッチ部２３ｃとラッチ２４のラッチ受部２４ｂを介してラッチ２４が時計方向に付勢される。このラッチ２４の回転がフレーム１７の切欠１７ｄのＶ字の辺によって阻止されているため、フック２３及びトリップレバー２２の回転も阻止された状態となっている。一方、ばね２５の力により軸１８は右方向に付勢されているが、リンク２０とリンク１９が略一直線の状態でリンク１９の下端部がトリップレバー２２のカール端部２２ａに押し付けられて停止し、クロスバー１１が時計方向に回転した状態で接点２と接点４が接触している。
【００１９】
開路操作は閉路状態にある回路遮断器のハンドル２６を反時計方向に回転することによって行われる。この回転によりばね２５の力の作用線がリンク１９の円弧状端部１９ａを右から左へ移動したとき、軸１８が左方向に移動しリンク２０とリンク１９がく字状に折れ曲がる。その結果、図示はしていないが、クロスバー１１が反時計方向に回転して接点を開離させた後消弧ケース１の図示していない部分に接してその回転が停止し、ハンドルレバー２１の回転もその折曲部２１ｂがトリップレバー２２に接して停止し開路状態となる。
【００２０】
閉路操作は開路状態にある回路遮断器のハンドル２６を時計方向に回転させることによって行われる。この回転により、ばね２５の作用線がリンク１９の円弧状端部１９ａを左から右へ移動し、リンク１９とリンク２０とを伸直させながら軸１８が右方向へ移動するためクロスバー１１が時計方向に回転し図４の閉路状態となる。
【００２１】
トリップ動作は閉路状態においてラッチ２４が反時計方向に回転することによって実現する。この回転によってラッチ２４とフック２３との係合及びフック２３とトリップレバー２２との係合が解消し、トリップレバー２２が時計方向へ回転してフレーム１７の折曲部１７ｅに接して停止する。このとき、ハンドルレバー２１を反時計方向に回転させるとともに、クロスバー１１を反時計方向に回転させながらリンク１９とリンク２０が共に上方へ移動し、接点が開離した後クロスバー１１が消弧ケース１に接してその回転が停止した図５及び図８のトリップの状態となる。また、フック２３は、トリップレバー２２との係合が解消したあと、トリップレバー２２の肩部２２ｄに押されてさらに反時計方向へわずかに回転し、図８に示されているようにトリップ駆動端２３ｄが左方向へ突き出る。
【００２２】
リセット操作はトリップ状態にある回路遮断器のハンドル２６を反時計方向に回転させることによって行われる。この回転により、ハンドルレバー２１の折曲部２１ｂに押されてトリップレバー２２が反時計方向に回転し、その肩部２２ｄの移動に追随してフック２３が時計方向に回転しラッチ２４も時計方向に回転して、図６のごとくトリップレバー２２とフック２３が係合可能な状態となる。この状態でハンドル２６を自由状態にするとトリップレバー２２とフック２３及びフック２３とラッチ２４が係合して開路状態となる。
【００２３】
トリップユニットは、主として図１及び図９ないし図１２に示されているように、合成樹脂成形絶縁物製のトリップユニットケース３２内に構築され、それぞれ各極毎に備えられる主回路導電部であるヒーター３３及び端子３４、バイメタルトリップ素子及びインスタントトリップ素子並びに３極に共通に備えられる回転自在のトリップ軸３６及びラッチ軸３７を有している。
【００２４】
バイメタルトリップ素子は、図１に示されているようにヒーター３３の逆Ｕ字状の屈曲部に根元が取り付けられたバイメタル３８を有し、過電流が流れたときヒーター３３において発生するジュール熱によってバイメタル３８が徐々に左方向に湾曲し、所定時間の後、その先端がトリップ軸３６の腕３６ａに取り付けられたピン３９を押して図示されていないばねによって時計方向に付勢されているトリップ軸３６を反時計方向に回転させる。
【００２５】
インスタントトリップ素子は、図１に示されているようにヒーター３３に取り付けられた固定コアー４０と軸４１に回転自在に設けられたコ字状に曲げられている可動コアー４２と、可動コアー４２を反時計方向に付勢するばね４３を有し、ばね４３の付勢力を超える電磁吸引力を発生する電流がヒーター３３に流れたとき瞬時に可動コアー４２が時計方向に回転しその先端がトリップ軸３６の下部の腕３６ｂを押してトリップ軸３６を反時計方向に回転させる。
【００２６】
ラッチ軸３７は、ラッチ腕３７ａ、開閉機構トリップ腕３７ｂ、二つのトリップ指示腕３７ｃ及びトリップ装置リセット腕３７ｄとを有するとともに、ばね４４によって図１において反時計方向に付勢されており、リセット状態においてラッチ腕３７ａがトリップ軸３６に設けられたラッチ受け３６ｃと係合しその回転が阻止されている。さらに、トリップユニットケース３２の前面壁３２ａにはリセットレバー４５が軸４６によって回転自在に設けられ、リセットレバー４５の切欠部とラッチ軸に偏心して設けられたピンとが噛み合うように組み合わされているため、リセットレバー４５とラッチ軸３７とは互いに一方が回転したとき他方も回転するようになっている。
【００２７】
このような、トリップユニットの動作について説明する。なお、図１１はトリップしていない状態を示している図１０のＢ−Ｂから見た断面図であり、図１２はトリップ後の状態を示している。インスタントトリップ素子又はバイメタルトリップ素子が動作してトリップ軸３６が反時計方向に回転すると、ラッチ腕３７ａとラッチ受け３６ｃとの係合が解消してラッチ軸３７が反時計方向に回転し、開閉機構トリップ腕３７ｂの先端がトリップユニットケース３２の前面壁３２ａから突き出るとともにリセットレバー４５が時計方向に回転する。
【００２８】
トリップユニットをリセットする操作は、ばね４４の力に抗して手でリセットレバー４５を反時計方向に回転することによって実現する。この回転によりラッチ軸３７が時計方向に回転し、ラッチ腕３７ａとラッチ受け３６ｃが係合可能な状態となってからリセットレバー４５を自由状態にすると、ラッチ軸３７が反時計方向に回転し双方が係合したリセット状態となる。
【００２９】
以上説明したように、この回路遮断器は、開閉ユニットと結合することなくトリップユニット単独でインスタントトリップ素子やバイメタルトリップ素子の動作調整や動作確認をすることができる。
【００３０】
次に、図１ないし図３及び図１３において、以上のように構成された開閉ユニットとトリップユニットの結合について説明する。
【００３１】
両ユニットの結合は、図１において、ヒーター３３の端部３３ａとリード端子１４が重なるとともにトリップユニットケース３２の底部右端の傾斜面と消弧ケース１の底部左端の傾斜面が重なるように両ユニットを組み合わせて、裏面からねじ４７をまわしてナット１６と共同してリード端子１４とヒータ３３を接続固定するだけでよい。
【００３２】
このように結合された両ユニットは、図１３に示されている成形絶縁物製のカバー４８でよって覆われている。図１３において、カバー４８の正面部分の両側縁からは側壁４８ａが密着するようにトリップユニットケース３２及び消弧ケース１の側壁に沿って延び、カバー４８が側壁４８ａの下縁部に形成された複数の方形の穴４８ｂと消弧ケース１及びトリップユニットケース３２の双方に形成されたそれぞれ複数の突起１ａ及び突起３２ｂとをはめ合わせることによって固定されている。
【００３３】
なお、カバー４８の正面には中央極部分にハンドル２６が突き出る開口部４８ｃが形成され、端極部分には内部附属品を収納するための窪み４８ｄが形成されており、カバー４８には図３に鎖線で示されているごとくヒンジ状に開閉できる窪み４８ｄを覆う補助カバー５０が設けられている。
【００３４】
このように結合された回路遮断器の操作及び動作について説明する。なお、開路操作及び閉路操作は、前述の開閉ユニット単独の動作と同様であるためここでは説明を省略する。
【００３５】
前述のごとくバイメタルトリップ素子やインスタントトリップ素子によってトリップユニットが動作したときは、トリップユニットは図９のごとくラッチ軸３７の開閉機構トリップ腕３７ｂがトリップユニットケース３２の前面壁３２ａから突き出る。トリップユニットと直接関連する開閉ユニットの部材であるラッチ２４が図１１及び図１２に鎖線で示されており、図１２において、そのトリップ腕２４ｃが開閉機構トリップ腕３７ｂに押されてラッチ２４が反時計方向に回転するため開閉ユニットがトリップする。
【００３６】
リセット操作は、図１２に鎖線で示されているように、トリップ状態においてハンドル２６を反時計方向に回転させることによって行われる。この操作により、ハンドル２６の左端部２６ａがリセットレバー４５のリセット縁４５ａを押してリセットレバー４５を反時計方向に回転させてリセット可能な状態となり、ハンドル２６を自由状態にすると前述のごとく開閉ユニットと共にトリップユニットもリセットされる。
【００３７】
この実施例の回路遮断器には、トリップユニットが動作したとき動作する警報スイッチや印可電圧が低下したとき動作する不足電圧引き外し装置の装着が可能である。
【００３８】
警報スイッチ５１は、図１４に示されるようにカバー４８の窪み４８ｄに装着され、トリップユニットが動作してラッチ軸３７が回転したとき、トリップ指示腕３７ｃが前面壁３２ａから突き出て、警報スイッチの動作レバー５２が時計方向に回転し内蔵されるマイクロスイッチが切り替わる。トリップユニットがリセットされてラッチ軸が復帰回転すると、図示されていないばねによって動作レバー５２が復帰回転し、マイクロスイッチも復帰する。このトリップ指示腕３７ｃはラッチ軸３７の２個所に設けられており、カバー４８の左右の窪み４８ｄのいずれにでも又は両方に装着が可能である。さらに、窪み４８ｄは片側に３個のトリップ警報スイッチを装着するスペースがあり、トリップ指示腕３７ｃの数の多いラッチ軸を使用することによってトリップ警報スイッチの装着数を増やすこともできる。
【００３９】
不足電圧引外し装置５６は、図１５に示されているようにカバー４８の窪み４８ｄに装着された電磁石６０を内蔵する引外し装置であって、電磁石６０に印可される電圧が所定値以下に低下すると可動コアーが固定コアーから開離し、可動コアーに連動する連動部材５７が左方向へ移動し、トリップユニットに回転自在に設けられたトリップ装置中継レバー５５の先端部５５ａを押して回転させ、この回転によって、図１０において、下極の腕３６ａが右方向に押されてトリップユニットが動作する。
【００４０】
この不足電圧引外し装置は電磁石の電圧が所定値以上に復帰した後、リセット操作を必要とするが、トリップユニットのリセット操作によって自動的に行われる。すなわち、ラッチ軸が復帰回転するときそのトリップ装置リセット腕３７ｄに設けられたピアノ線からなる弾性部材５８が連動部材５７を、図１５において、右方向に移動させて可動コアーを固定コアーに吸着させてリセットする。このトリップ装置リセット腕３７ｄはラッチ軸の自由な位置に設けることができるため不足電圧引き外し装置の構成や取付位置に自由性ができる。
【００４１】
この回路遮断器には、図示していないが、電圧引外し装置の装着も可能であって、内蔵される電磁石に所定値以上の電圧を加えると可動コアーが固定コアーに吸着され、不足電圧引外し装置と同様に可動コアーと連動する連動部材を備えておりトリップ装置中継レバー５５を回転させてトリップユニットを動作させる。電圧引外し装置には電圧を印可して可動コアーが移動したとき内蔵されるラッチ機構の係合を解消させることによって連動部材を移動させる構造のものがある。このような電圧引外し装置のリセット操作は不足電圧引外し装置のリセット操作と同様に弾性部材５８が連動部材を移動させることによってラッチをリセットすることができる。
【００４２】
なお、本発明において、第１ラッチ手段は、ラッチ２４およびフック２３によって構成され、第２ラッチ手段は、ラッチ軸３７、ラッチ軸の腕３７ａ、開閉機構トリップ腕３７ｂ、トリップ軸３６、トリップ軸の腕３６ａ，３６ｂ、ラッチ受け３６ｃ等から構成される。また、附属装置を操作する部材には、トリップ指示腕３７ｃ、トリップ装置リセット腕３７ｄ、トリップ装置中継レバー５５、トリップ装置リセット腕３７ｄに設けられた弾性部材５８等が該当する。
【００４３】
この回路遮断器には、図２及び図７に示されているように、開閉ユニットが正常にトリップ動作をすることを確認するためのトリップボタン５３が設けられており、このボタンは図７において上下方向にスライド自在であって図示されていないばねによって上方向に付勢されてカバー４８に装着されている。そして、回路遮断器の表面部からテストボタン５３を押し込むと、図７において、その先端部５３ａがテストボタン受部２４ｄを押してラッチ２４を反時計方向に回転させて開閉ユニットにトリップ動作を行わせることができる。トリップユニットに回転自在に設けられている開閉ユニットトリップ中継レバー５４は、このようなとき、トリップユニットを介して警報スイッチ５１の動作も確認できるように設けられたものである。その動作は、図８に示されるように開閉ユニットがトリップ状態になったときフック２３のトリップ駆動端２３ｄがトリップユニット側に突き出る。そして、このトリップ駆動端２３ｄが、図１０において、先端部５４ａを押して開閉ユニットトリップ中継レバー５４を反時計方向に回転させ、この回転によって中央極の腕３６ａを押してトリップ軸３６を反時計方向に回転させてトリップユニットをトリップ状態にする。
【００４４】
このような動作は、トリップボタンの操作による開閉ユニットのトリップ動作だけでなく、異常な機械的衝撃が加わって開閉ユニットのラッチ機構の係合が解消して開閉ユニットがトリップ状態になったときも警報スイッチ５１が動作し警報を発することができる。
【００４５】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００４６】
【発明の効果】
本発明は、以上説明した形態で実施され、開閉機構の第１ラッチ手段とこの第１ラッチ手段を動作させる過電流引外し機構の第２ラッチ手段とが設けられる回路遮断器において、第２ラッチ手段は、動作したとき回転して附属装置を操作する回転軸を含むこととしているため、第２ラッチ手段の回転軸の回転をキャッチすることにより引外し動作を検知でき、第２ラッチ手段をリセットするときの回転軸の回転を利用して附属装置のリセットをすることができることによって、回路遮断器の隔壁を加工する必要もなく絶縁が確保できるとともに、附属装置の構成や取付位置や装着数に自由性ができるという効果を奏する。
【図面の簡単な説明】
【図１】  本発明による回路遮断器の一実施例の側面断面図である。
【図２】  図１の回路遮断器の外観正面図である。
【図３】  図１の回路遮断器の外観側面図である。
【図４】  図１の回路遮断器の開閉ユニットの閉路状態の側面断面図である。
【図５】  図１の回路遮断器の開閉ユニットのトリップ状態の側面断面図である。
【図６】  図１の回路遮断器の開閉ユニットのリセット操作中の側面断面図である。
【図７】  図４とは異なる切り口から見た部分側面断面図である。
【図８】  図５とは異なる切り口から見た部分側面断面図である。
【図９】  図１の回路遮断器のトリップユニットの外観斜視図である。
【図１０】  図９の平面図である。
【図１１】  図９の側面断面図である。
【図１２】  図９の側面断面図である。
【図１３】  カバーの斜視図である。
【図１４】  トリップ警報スイッチを装着した部分側面断面図である。
【図１５】  不足電圧引外し装置を装着した部分側面断面図である。
【図１６】  トリップ警報スイッチを装着した従来の回路遮断器の平面図である。
【図１７】  図１６の側面断面図である。
【図１８】  不足電圧引外し装置を装着した従来の回路遮断器の部分平面図である。
【符号の説明】
１  消弧ケース、３  固定接触子、５  可撓リード、６  可動接触子、９  消弧装置、１０  端子ベース、１１  クロスバー、１３，２５，４３，４４  ばね、１４  リード端子、１５  リード端子ベース、１７  フレーム、１９，２０  リンク、２１  ハンドルレバー、２２  トリップレバー、２３  フック、２４  ラッチ、２６  ハンドル、４７  ねじ、３２  トリップユニットケース、３３  ヒーター、３４  端子、３６  トリップ軸、３７  ラッチ軸、３８  バイメタル、４０  固定コアー、４２  可動コアー、４５  リセットレバー、４８  カバー、５０  補助カバー、５１  警報スイッチ、５２  動作レバー、５３  テストボタン、５４  開閉ユニットトリップ中継レバー、５５  トリップ装置中継レバー、５６  不足電圧引外し装置、５７  連動部材、５８  弾性部材、５９  マイクロスイッチ、６０  電磁石。
【図１】
0003933387.tif 000002
【図２】
0003933387.tif 000003
【図３】
0003933387.tif 000004
【図４】
0003933387.tif 000005
【図５】
0003933387.tif 000006
【図６】
0003933387.tif 000007
【図７】
0003933387.tif 000008
【図８】
0003933387.tif 000009
【図９】
0003933387.tif 000010
【図１０】
0003933387.tif 000011
【図１１】
0003933387.tif 000012
【図１２】
0003933387.tif 000013
【図１３】
0003933387.tif 000014
【図１４】
0003933387.tif 000015
【図１５】
0003933387.tif 000016
【図１６】
0003933387.tif 000017
【図１７】
0003933387.tif 000018
【図１８】
0003933387.tif 000019